(57)【特許請求の範囲】
【請求項１】
（イ）換気口を形成した壁を有する細長い装置本体と、
（ロ）上記装置本体の長手方向に沿って延びる一対の縁を有し、一方の縁が、装置本体に、長手方向にスライド可能かつ回動可能に支持された細長い作動板と、
（ハ）上記装置本体に設けられ、上記作動板を長手方向にスライドさせる操作部材と、
（ニ）上記作動板が長手方向にスライドする際に、作動板を回動させて、上記装置本体の換気口を開閉させるカム手段と、
を備えた換気装置において、上記カム手段は、上記作動板の他方の縁に形成された切欠と、装置本体に支持されてこの切欠に入り込んでいるカム部材とを含み、このカム部材において、装置本体の長手方向に対峙する一対の外面が、長手方向に対して傾斜した第１，第２のカム面を含み、上記作動板が長手方向に沿って一方向へスライドする際には、作動板の切欠の一方の端縁が上記第１カム面に案内され、そのカム作用により作動板が上記壁から離れる方向に回動されて、上記換気口を開き、上記作動板が長手方向に沿って逆方向へスライドする際には、作動板の切欠の他方の端縁が上記第２カム面に案内され、そのカム作用により作動板が上記壁に接近する方向に回動されて、上記換気口を閉じ、
上記カム部材において、装置本体の長手方向と直交する方向に対峙する一対の外面が、それぞれ長手方向と平行に延びる第１，第２の規制面を含み、壁から離れた第１規制面は上記第１カム面に連なっていて、開き位置の作動板が接するようになっており、壁に近い第２規制面は上記第２カム面に連なっていて、閉じ位置の作動板が接するようになっており、
上記第１カム面は上記第２規制面よりも更に壁に向かって延長され、上記第２のカム面は上記第１の規制面よりも更に壁から離れる方向に延長されており、
上記カム部材の形状は、上記第１，第２の規制面と上記第１，第２のカム面とを交差させて構成される略平行四辺形の基部と、第１、第２の凸部を備え、
上記第１凸部は、上記基部の第２規制面から上記壁に向かって突出するとともに上記第１カム面側に偏移しており、その一方の側面が上記第１カム面の延長部を提供し、
上記第２凸部は、上記基部の第１規制面から上記壁と反対側に突出するとともに上記第２カム面側に偏移しており、その一方の側面が、上記第２カム面の延長部を提供することを特徴とする換気装置。
【請求項２】
上記カム部材が樹脂材料で形成され、このカム部材の基部には、上記第２規制面と第１凸部との間を抜ける縦溝が形成され、この縦溝と上記第２規制面との間が上記装置本体の長手方向に延びる弾性片として提供されることを特徴とする請求項１に記載の換気装置。
【請求項３】
上記カム部材は、装置本体に固定される取付部と、この取付部から突出するとともに互いに離れたカム部および押さえ部とを有し、上記カム部は上記第１，第２のカム面と第１，第２の規制面を有し、上記押さえ部は上記壁側を向く押さえ面を有し、この押さえ面は、上記装置本体の長手方向と直交する方向に、作動板の厚さとほぼ等しい距離だけ、上記第１規制面から偏倚していることを特徴とする請求項１に記載の換気装置。
【発明の詳細な説明】
【０００１】
【発明の属する技術分野】
本発明は、作動板を回動させて換気口を開閉する方式の換気装置に関する。
【０００２】
【従来の技術】
サッシ戸等に装着される換気装置には、装置本体に対して作動板をスライドさせ、このスライドに伴うカム作用を利用して作動板を回動させ、これにより、装置本体の壁に形成された換気口を開閉するタイプのものがある。このタイプの換気装置は、閉じ状態での密閉性が良いことが知られている。
【０００３】
上記従来の換気装置の要部を、図５、図６を参照しながら説明する。作動板１２０の上縁は、装置本体に、長手方向（図５、図６の左右方向）にスライド可能で、かつ回動可能に支持されている。この作動板１２０の下縁には、浅い切欠１２２が形成されている。この切欠１２２の中央には、切り残しによる突起１２２ａが形成されている。
【０００４】
他方、装置本体には、カム部材１３０が装着されている。このカム部材１３０の上面には傾斜溝１３１が形成されており、この傾斜溝１３１の両側の面がカム面１３１ａ，１３１ｂとして提供される。また、傾斜溝１３１の両端には装置本体の長手方向に延びる補助溝１３２，１３３が形成されており、これら補助溝１３２，１３３は、上記カム面１３１ａ，１３１ｂに連なる規制面１３２ａ，１３３ａをそれぞれ有している。
【０００５】
上記カム部材１３０の上部は上記作動板１２０の切欠１２２内に入り込んでおり、その突起１２２ａは、カム部材１３０の溝１３１，１３２，１３３のいずれかに位置している。
【０００６】
上記構成において、作動板１２０の突起１２２ａは、図５（Ａ），図６（Ａ）の閉じ位置において、規制面１３３ａに接している。この閉じ位置から図中左方向にスライドさせると、突起１２２ａがカム面１３１ａに当たり、さらにこのカム面１３１ａに案内される。この時のカム作用により、作動板１２０が回動して壁１１２から離れ、この壁１１２に形成された換気口を開く。図５（Ｂ），第６図（Ｂ）に示すように、この開き位置では突起１２２ａが規制面１３２ａに接している。
【０００７】
上記作動板１２０を上記開き位置から右方向へスライドさせると、突起１２２ａがカム面１３１ｂに当たり、さらにこのカム面１３１ｂに案内される。この時のカム作用により、作動板１２０が回動して壁１１２に近づき、この壁１１２に形成された換気口を閉じて、図５（Ａ），図６（Ａ）の状態に戻る。
【０００８】
【発明が解決しようとする課題】
上述した従来のカム手段では、カム部材１３０にカム面１３１ａ，１３１ｂを有する傾斜溝１３１を形成し、この溝１３１に突起１２２ａを入り込ませるようになっているが、この突起１２２ａは比較的強度が低いにも拘わらず、頻繁にカム面１３１ａ，１３１ｂに当たるので、長期使用により変形する可能性があり、より一層耐久性を高める工夫が求められていた。
【０００９】
また、このタイプの換気装置では、作動板１２０の切欠１２２の上縁近傍に装置本体の長手方向に延びるパッキンを貼りつけて、壁１１２との間のシール性を高めているが、雨を伴った強風の時に、外部から吹き込んで作動板１２０に付着された水滴が、この切欠１２２の上縁から回り込んでパッキンに達することがある。上記構造のカム手段では、切欠１２２の幅Ｗ’が大きいので、水滴がパッキンに回り込み易くなり、この水滴が室内に吹き込むこともあった。
【００１０】
【課題を解決するための手段】
本発明の第１の態様は、（イ）換気口を形成した壁を有する細長い装置本体と、
（ロ）上記装置本体の長手方向に沿って延びる一対の縁を有し、一方の縁が、装置本体に、長手方向にスライド可能かつ回動可能に支持された細長い作動板と、
（ハ）上記装置本体に設けられ、上記作動板を長手方向にスライドさせる操作部材と、
（ニ）上記作動板が長手方向にスライドする際に、作動板を回動させて、上記装置本体の換気口を開閉させるカム手段と、
を備えた換気装置において、上記カム手段は、上記作動板の他方の縁に形成された切欠と、装置本体に支持されてこの切欠に入り込んでいるカム部材とを含み、このカム部材において、装置本体の長手方向に対峙する一対の外面が、長手方向に対して傾斜した第１，第２のカム面を含み、上記作動板が長手方向に沿って一方向へスライドする際には、作動板の切欠の一方の端縁が上記第１カム面に案内され、そのカム作用により作動板が上記壁から離れる方向に回動されて、上記換気口を開き、上記作動板が長手方向に沿って逆方向へスライドする際には、作動板の切欠の他方の端縁が上記第２カム面に案内され、そのカム作用により作動板が上記壁に接近する方向に回動されて、上記換気口を閉じ、
上記カム部材において、装置本体の長手方向と直交する方向に対峙する一対の外面が、それぞれ長手方向と平行に延びる第１，第２の規制面を含み、壁から離れた第１規制面は上記第１カム面に連なっていて、開き位置の作動板が接するようになっており、壁に近い第２規制面は上記第２カム面に連なっていて、閉じ位置の作動板が接するようになっており、
上記第１カム面は上記第２規制面よりも更に壁に向かって延長され、上記第２のカム面は上記第１の規制面よりも更に壁から離れる方向に延長されており、
上記カム部材の形状は、上記第１，第２の規制面と上記第１，第２のカム面とを交差させて構成される略平行四辺形の基部と、第１、第２の凸部を備え、
上記第１凸部は、上記基部の第２規制面から上記壁に向かって突出するとともに上記第１カム面側に偏移しており、その一方の側面が上記第１カム面の延長部を提供し、
上記第２凸部は、上記基部の第２規制面から上記壁と反対側に突出するとともに上記第２カム面側に偏移しており、その一方の側面が、上記第２カム面の延長部を提供することを特徴とする。
【００１３】
本発明の第２の態様は、第１の態様において、上記カム部材が樹脂材料で形成され、このカム部材の基部には、上記第２規制面と第１凸部との間を抜ける縦溝が形成され、この縦溝と上記第２規制面との間が上記装置本体の長手方向に延びる弾性片として提供されることを特徴とする。
本発明の第３の態様は、第１の態様において、上記カム部材は、装置本体に固定される取付部と、この取付部から突出するとともに互いに離れたカム部および押さえ部とを有し、上記カム部は上記第１，第２のカム面と第１，第２の規制面を有し、上記押さえ部は上記壁側を向く押さえ面を有し、この押さえ面は、上記装置本体の長手方向と直交する方向に、作動板の厚さとほぼ等しい距離だけ、上記第１規制面から偏倚していることを特徴とする。
【００１４】
【発明の実施の形態】
以下、本発明の第１実施形態をなす換気装置について図１〜図３を参照しながら説明する。本実施形態の換気装置は、サッシ戸に装着されるものであり、より具体的にはサッシ戸の上框として装着されるものである。換気装置は、図１（Ａ）、（Ｂ）において紙面と直交する方向に水平に延びる中空の装置本体１０を備えている。この装置本体１０は、アルミ製の押出型材等からなる３つの型材１１，１２，１３を有している。室内側の型材１１と中間型材１２は、上下に配された一対の樹脂製の断熱ブリッジ１４により互いに離れて連結されている。中間型材１２と室外側の型材１３は、直接連結されている。室外側の型材１３の上部には、窓のレールが入り込むガイド部１５が形成されている。また、室内側の型材１１と中間型材１２の下部により、ガラス板の上縁を嵌め込むための嵌込部１６が形成されている。
【００１５】
上記装置本体１０内には、室内の空気と室外の空気とを換気するための換気通路１７が形成されている。上記型材１１，１２，１３はこの換気通路１７に配置された壁１１ａ，１２ａ，１３ａをそれぞれ有し、これら壁１１ａ，１２ａ，１３ａには、それぞれ換気口１１ｘ，１２ｘ，１３ｘが形成されている。各換気口１１ｘ，１２ｘ，１３ｘは、装置本体１０の長手方向に沿って並べられた多数のスリットにより構成されている。
【００１６】
上記室内側の型材１１と室外側の型材１３の換気口１１ｘ，１３ｘは、常時開放状態にあり、中間の型材１２の換気口１２ｘが作動板２０により、開閉されるようになっている。この作動板２０は、アルミ押出型材等の型材からなり、装置本体１０と同方向に細長く延び、中間型材１２と室外側型材１３との間に配置されている。作動板２０の上縁は断面円形をなして軸部２１となっている。中間型材１２の壁１２ａの上部には、長手方向に延びる軸受部１２ｂが形成されており、この軸受部１２ｂに作動板２０の軸部２１が挿入され、これにより、作動板２０は、長手方向にスライド可能かつ壁１２ａに対して回動可能に、装置本体１０に支持されている。
【００１７】
室内側の型材１１には、その長手方向に沿ってスライド可能に操作部材５０が設けられている。この操作部材５０は、作動板２０に形成された穴（図示しない）に入り込んでおり、これにより、操作部材５０のスライド操作により作動板２０も同方向にスライドするようになっている。
【００１８】
上記作動板２０は、長手方向のスライドに伴ってカム手段Ａのカム作用により回動するようになっている。カム手段Ａは、作動板２０の下縁に長手方向に離れて形成された複数例えば２個の浅い切欠２２（図２，図３にのみ示す）と、この切欠２２に対応した位置に配置された複数例えば２個の樹脂製のカム部材３０とで構成されている。
【００１９】
上記作動板２０の各切欠２２は、図３に示すように、作動板２０の長手方向に細長く延びて形成されている。この切欠２２の幅を、図２，図３においてＷで示す。
【００２０】
各カム部材３０の下部は取付部３１となって、中間型材１２の下部の取付凹部１２ｃに挿入固定されており、その上部はカム部３２となって上記作動板２０の切欠２２に入り込んでいる。
【００２１】
上記カム部材３０のカム部３２において、装置本体１０の長手方向に対峙する一対の外面は、それぞれ第１カム面３２ａ，第２カム面３２ｂを含んでいる。これらカム面３２ａ，３２ｂは垂直をなし、装置本体１０の長手方向に対して傾斜し、互いに平行をなしている。また、カム部３２において、装置本体１０の長手方向と直交する方向に対峙する一対の外面は、それぞれ第１規制面３２ｃ，第２規制面３２ｄを含んでいる。壁１２から離れた第１規制面３２ｃは、図２，図３において右側の第１カム面３２ａに連なっている。壁１２に近い方の第２規制面３２ｄは、左側の第２カム面３２ｂに連なっている。
上記第１カム面３２ａは、第２規制面３２ｄよりも壁１２に向かって延長されている。第２カム面３２ｂは、第１規制面３２ｃよりも壁１２から離れる方向に延長されている。
【００２２】
上記カム部材３０のカム部３２の平面形状について説明すると、図２に示すように、平行なカム面３２ａ，３２ｂと平行な規制面３２ｃ，３２ｄを仮想的に延長させて交差させることにより、平行四辺形からなる基部３２ｘが構成され、この基部３２ｘのカム面３２ａ側から壁１２に向かって第１凸部３２ｙが形成され、カム面３２ｂ側から壁１２と反対側に突出する第２凸部３２ｚが形成されている。これら凸部３２ｙ，３２ｚは、それぞれ上記カム面３２ａ，３２ｂの延長部を提供している。
【００２３】
図１（Ａ），（Ｂ）に示すように、上記作動板２０の室内側の面には、上記切欠２２の上縁近傍においてパッキン４０が貼り付けられ、室外側の面にはパッキン４０と同一高さにクッション材４１が形成されている。パッキン４０は、作動板２０の長手方向に延び、クション材４１は、長手方向に離れて複数設けられている。パッキン４０とクッション材４１は、スポンジ等で構成されている。
【００２４】
上記構成をなす換気装置の作用について説明する。図１（Ａ）に示すように、作動板２０の閉じ位置では、作動板２０は、壁１２ａと平行をなし、パッキン４０を介して壁１２ａに接している。その結果、換気口１２ｘが作動板２０により閉じられ、換気が停止された状態となる。この閉じ位置では、作動板２０はパッキン４０の弾性により、図２（Ａ）に示すようにカム部材３０の第２規制面３２ｄに接しており、がたつきなく閉じ位置を維持されている。
【００２５】
操作部材５０をスライド操作して、作動板２０を図２（Ａ），図３（Ａ）に示す閉じ位置から図中左方向にスライドさせると、作動板２０の切欠２２の右側の端縁が第１カム面３２ａに当たり、さらに作動板２０をスライドさせると、この切欠２２の端縁と第１カム面３２ａのカム作用により、作動板２０は壁１２から離れる方向に回動する。その結果、図１（Ｂ）に示すように、換気口１２ｘが開放され、換気が可能となる。
【００２６】
さらに、作動板２０をスライドさせると、図２（Ｂ），図３（Ｂ）に示すように、切欠２２の端縁が第１カム面３２ａから第１規制面３２ｃへと進む。この状態で、作動板２０のクッション材４１が室外側型材１３の角部１３ｂに当たり、作動板２０はこのクッション材４１の弾性により第１規制面３２ｃに接しているので、がたつきなく開き位置を維持される。
【００２７】
上記とは逆に、操作部材５０により、上記作動板２０を上記開き位置から右方向にスライドさせると、作動板２０の切欠２２の左側の端縁が第２カム面３２ｂに当たり、さらに作動板２０をスライドさせると、この切欠２２の端縁と第２カム面３２ｂのカム作用により、作動板２０は壁１２に接近する方向に回動し、これにより、図１（Ａ）に示すように、換気口１２ｘが閉じられ、換気が停止される。
【００２８】
さらに、作動板２０をスライドさせると、切欠２２の端縁が第２カム面３２ｂから第２規制面３２ｄへと進み、図２（Ａ），図３（Ａ）に示すように、作動板２０が第２規制面３２ｄに接する。
【００２９】
上述したように、カム部材３０の外面がカム面３２ａ，３２ｂを有しており、切欠２２の左右の端縁と協働して、作動板２０を開閉させるようになっているので、従来のような突起を作動板２０に形成せずに済み、耐久性を向上させることができる。
【００３０】
また、切欠２２の幅Ｗは、カム面３２ａ，３２ｂ間の距離に、規制面３２ｃ，３２ｄへ進む移動ストロークを加えた寸法で済むので、従来装置の切欠の幅に比べて小さくて済む。そのため、雨を伴った強風時に、作動板２０についた水滴が下降して切欠２２の上縁からパッキン４０に回り込む量を少なくすることができ、室内への水の吹き込みを最小限に抑えることができる。
【００３１】
次に、本発明の第２実施形態について、図４を参照しながら説明する。この実施形態において、装置本体の壁１２ａおよび作動板２０については、第１実施形態と同じであるが、樹脂製のカム部材８０の形状が第１実施形態のカム部材３０と異なる。このカム部材８０は、カム部材３０と同様に、下部が取付部８１となって、装置本体に固定されており、その上部がカム部８２となって上記作動板２０の切欠２２に入り込んでいる。このカム部８２は、カム部材３０と同様に、第１カム面８２ａ，第２カム面８２ｂ，第１規制面８２ｃ，第２規制面８２ｂを有している。
【００３２】
上記カム部材８０は、次の点でカム部材３０と異なる。すなわち、カム部８２において、ほぼ平行四辺形の平面形状を有する基部には、縦溝８２ｇが形成されており、これにより、装置本体の長手方向に延びる弾性片８２ｈが形成されている。この弾性片８２ｈの壁１２ａ側の面が上記第２規制面８２ｙとなっている。他方、取付部８１は特殊な平面形状を有しており、上記弾性片８２ｈから離れて、この弾性片８２ｈを拘束しないようになっている。
【００３３】
また、取付部８１には、上記カム部８２から離れて押さえ部８５が上方に突出するようにして形成されている。この押さえ部８５は、壁１２ａ側に平坦な押さえ面８５ａを有している。この押さえ面８５ａは、上記第１規制面８２ｃから室外側（装置本体の長手方向と直交する方向）に偏倚している。この押さえ面８５ａの第１規制面８２ｃからの偏倚量は、作動板２０の厚みとほぼ等しくなっている。
【００３４】
上記構成において、図４（Ａ）に示す作動板２０の閉じ位置では、作動板２０は、第２規制面８２ｙに接し、その弾性片８２ｈの弾性により、パッキンを介してより一層密着した状態で壁１２ａに押し付けられる。
【００３５】
図４（Ｂ）に示す作動板２０の開き位置では、第１規制面８２ｃと押さえ部材８５の押さえ面８５ａとの間で、作動板２０をがたつきなく保持することができる。この実施形態では、開き状態において、がたつきを回避するために作動板２０を装置本体に当てる必要がない。
【００３６】
【発明の効果】
本発明の第１の態様によれば、カム部材の外面に形成されたカム面と、切欠の端縁との間のカム作用により、作動板の開閉を行うようにしたので、作動板に突起を形成せずに済み、耐久性を向上させることができる。また、切欠の幅を狭くすることができるので、水密性も向上する。作動板を閉じ位置または開き位置で規制面により保持することができる。作動板を閉じ位置，開き位置からスライドさせる際に、切欠の端縁がカム面に当たり、確実にカム作用を実行することができる。基部と一対の凸部により一対のカム面と規制面を形成することができる。
本発明の第２の態様によれば、カム部材の弾性片の作用により、作動板の閉じ状態を良好に維持することができる。
本発明の第３の態様によれば、カム部と押さえ部とで作動板の開き状態を良好に維持することができる。
【図面の簡単な説明】
【図１】本発明の第１実施形態に係わる換気装置の縦断面図であり、（Ａ）は閉じ状態，（Ｂ）は開き状態を示す。
【図２】同換気装置の作動板とカム部材との関係を示す平断面図であり、（Ａ）は閉じ状態，（Ｂ）は開き状態を示す。
【図３】同換気装置の作動板とカム部材との関係を示す背面図（室外から見た図）であり、（Ａ）は閉じ状態，（Ｂ）は開き状態を示す。
【図４】本発明の第２実施形態に係わる換気装置において、作動板とカム部材との関係を示す平断面図であり、（Ａ）は閉じ状態，（Ｂ）は開き状態を示す。
【図５】従来の換気装置における作動板とカム部材との関係を示す平断面図であり、（Ａ）は閉じ状態，（Ｂ）は開き状態を示す。
【図６】従来の換気装置における作動板とカム部材との関係を示す背面図であり、（Ａ）は閉じ状態，（Ｂ）は開き状態を示す。
【符号の説明】
１０  装置本体
１２ａ  壁
１２ｘ  換気口
２０  作動板
２２  切欠
３０、８０  カム部材
３２ａ，８２ａ  第１カム面
３２ｂ，８２ｂ  第２カム面
３２ｃ，８２ｃ  第１規制面
３２ｄ，８２ｄ  第２規制面
３２ｘ  基部
３２ｙ  第１凸部
３２ｚ  第２凸部
８２    カム部
８２ｈ  弾性片
８５    押さえ部
８５ａ  押さえ面
【図１】
0004271821.tif 000002
【図２】
0004271821.tif 000003
【図３】
0004271821.tif 000004
【図４】
0004271821.tif 000005
【図５】
0004271821.tif 000006
【図６】
0004271821.tif 000007